(57)【要約】【課題】工具を用いることなく、装置の取付、取外を行う手段を提供する。【解決手段】天井面に固定された固定具２と、装置を固定具２に取付ける取付具１２とを備えた天井掛け機構１において、固定具２は、基板３に固定された軸部５と、軸部５の先端に設けられた頭部６とを有する取付ボス４と、基板３に取付ボス４と並設され、基板３の鉛直方向に先端が伸縮する伸縮突起７とを備え、取付具１２は、取付板１３と、取付板１３と平行に配置されたベース板１４とをコの字状に接続した本体１２ａと、取付板１３の中央部に設けられ軸部５を係合させる係合部１７と、軸部５への係合部１７の係合を案内するガイド部１８と、ベース板１４に設けられ取付具１２の回動時に伸縮突起７の先端を案内するガイド溝２３とを備える。【選択図】        図１
2011096775.tif 000002
【特許請求の範囲】
【請求項１】
天井面に固定された固定具と、装置を前記固定具に取付ける取付具とを備えた天井掛け機構において、
前記固定具は、
基板に固定された軸部と、前記軸部の先端に設けられた頭部とを有する取付ボスと、
前記基板に前記取付ボスと並設され、前記基板の鉛直方向に先端が伸縮する伸縮突起とを備え、
前記取付具は、
取付板と、前記取付板と平行に配置されたベース板とをコの字状に接続した本体と、
前記取付板の中央部に設けられ、前記軸部を係合させる係合部と、
前記軸部への前記係合部の係合を案内するガイド部と、
前記ベース板に設けられ、前記取付具の回動時に前記伸縮突起の先端を案内するガイド溝とを備えることを特徴とする天井掛け機構。
【請求項２】
請求項１において、
前記取付板の内側に、前記取付ボスの頭部を嵌合させる嵌合穴を設けると共に、前記嵌合穴の底面に位置決め突起を設け、
前記取付ボスの頭部に、前記位置決め突起が嵌合する位置決め穴を設けたことを特徴とする天井掛け機構。
【請求項３】
請求項２において、
前記ベース板のガイド溝を、前記取付板の嵌合穴の中心を中心とする円弧溝で形成したことを特徴とする天井掛け機構。
【請求項４】
請求項３において、
前記円弧溝の一端に、位置決め穴と前記位置決め突起との位置合せを行う係止部を設けたことを特徴とする天井掛け機構。
【請求項５】
請求項３または請求項４において、
前記ベース板の、前記取付板の嵌合穴と対向する位置に、前記頭部を嵌合させる回転中心穴を設けたことを特徴とする天井掛け機構。
【発明の詳細な説明】
【技術分野】
【０００１】
本発明は、無線ＬＡＮの基地局等の装置を天井に取付ける際に用いる天井掛け機構に関する。
【背景技術】
【０００２】
従来の天井掛け機構は、無線アンテナ装置等のベースに設けた回転溝穴に、Ｌ字状の固定片の端部に設けた係止部を挿入すると共に、固定片の回転中心に設けた固定ネジ穴に固定ネジを螺合させておき、天井に設けた取付穴に装置を取付ける場合は、固定ネジをドライバで回して固定片を取付穴の外側に回動させ、回転溝穴の一端に係止させながら締付けて固定し、装置を取外す場合は、固定ネジをドライバで緩めて固定片を天井板の反対方向に回動させ、回転溝穴の他端に係止させて取外している（例えば、特許文献１参照。）。
【先行技術文献】
【特許文献】
【０００３】
【特許文献１】特開２００９−３０４１８号公報（段落０００８−００１１、第４図）
【発明の概要】
【発明が解決しようとする課題】
【０００４】
しかしながら、上述した従来の技術においては、ドライバで固定ネジを締めたり、緩めたりして装置の取付、取外を行っているため、装置の設置時、交換時または保守時における装置の取付および／もしくは取外作業に時間を要し、その作業効率を低下させるという問題がある。
【０００５】
本発明は、上記の問題点を解決するためになされたもので、工具を用いることなく、装置の取付、取外を行う手段を提供することを目的とする。
【課題を解決するための手段】
【０００６】
本発明は、上記課題を解決するために、天井面に固定された固定具と、装置を前記固定具に取付ける取付具とを備えた天井掛け機構において、前記固定具は、基板に固定された軸部と、前記軸部の先端に設けられた頭部とを有する取付ボスと、前記基板に前記取付ボスと並設され、前記基板の鉛直方向に先端が伸縮する伸縮突起とを備え、前記取付具は、取付板と、前記取付板と平行に配置されたベース板とをコの字状に接続した本体と、前記取付板の中央部に設けられ、前記軸部を係合させる係合部と、前記軸部への前記係合部の係合を案内するガイド部と、前記ベース板に設けられ、前記取付具の回動時に前記伸縮突起の先端を案内するガイド溝とを備えることを特徴とする。
【発明の効果】
【０００７】
これにより、本発明は、装置に設けた取付具の、天井面に固定された固定具への取付、取外を、工具を用いずに容易に行うことができ、装置の設置時、交換時または保守時における作業効率を向上させることができるという効果が得られる。
【図面の簡単な説明】
【０００８】
【図１】実施例の天井掛け機構を示す説明図
【図２】実施例の固定具の側面を示す説明図
【図３】実施例の伸縮突起の断面を示す説明図
【図４】実施例の取付具の断面を示す説明図
【図５】実施例の取付具の上面を示す説明図
【図６】実施例の装置の取付作業を示す説明図
【図７】実施例の装置の取外作業を示す説明図
【図８】実施例の装置の取外作業を示す説明図
【発明を実施するための形態】
【０００９】
以下に、図面を参照して本発明による天井掛け機構の実施例について説明する。
【実施例】
【００１０】
図１において、１は天井掛け機構であり、天井面に固定される固定具２と、図示しない無線ＬＡＮの基地局等の装置を、固定具２に取付ける取付具１２（後述）とから構成される。
【００１１】
３は固定具２の基板であり、図示しない小ネジ等で天井面に固定される。
【００１２】
４は取付ボスであり、図２に示すように、基板３に立設された小径の軸部５と、軸部５の固定端の反対側の先端に軸部５より大きい直径で形成された大径の頭部６とで形成されている。
【００１３】
７は伸縮突起であり、基板３に取付ボス４と所定の間隔を隔てて並設され、図３に示すように、円筒状の胴部８の内周面に外周面を遊嵌させた円筒状の出没部９を圧縮コイルスプリング等のバネ部材１０による付勢力で基板３の反対方向に付勢して形成されており、胴部８の端部の外周面を基板３に設けられた固定穴３ａに嵌合させて固定され（図２参照）、出没部９の先端が基板３の鉛直方向に伸縮するよう構成されている。
【００１４】
１２ａは取付具１２の本体であり、図４に示すように、上方に配置された取付板１３と、取付板１３と平行にその下方に配置されたベース板１４とを接続部１５で接続して、コの字状断面形状となるように形成され、図示しない小ネジ等で装置の天井側の面の中央部に１つ固定されている。
【００１５】
なお、取付具１２は、装置の天井側の面を構成するフレーム板をベース板１４として一体に形成するようにしてもよい。
【００１６】
また、図４は、図５に示すＡ−Ａ断面線に沿った断面図である。
【００１７】
１７は係合部であり、図５に示すように、取付板１３の中央部に設けられた半長円形の切欠であって、接続部１５の反対側の端部には、取付板１３の接続部１５の反対側の端面に向かって拡大する２つの斜面で形成されたガイド部１８が設けられており、ガイド部１８に導かれて押込まれた取付ボス４の軸部５が係合する。
【００１８】
１９は嵌合穴であり、取付板１３のベース板１４側（内側という。）に、係合部１７の半円弧の中心と同軸に形成された取付ボス４の頭部６と同等の直径を有する穴であって、係合部１７に軸部５を係合させた取付ボス４の頭部６が嵌合する（図１参照）。
【００１９】
また、嵌合穴１９の底面には、取付ボス４の頭部６に設けられた貫通穴である位置決め穴６ａに嵌合する位置決め突起１９ａが立設されている。
【００２０】
２１は回転中心穴であり、ベース板１４の、取付板１３の嵌合穴１９に対向する位置に形成された取付ボス４の頭部６と同等の直径を有する穴であって、取付具１２の固定具２からの取外時に、取付ボス４の頭部６を嵌合させて（図７参照）、取付具１２を回動させるときの回転中心として機能する。
【００２１】
２３はベース板１４に形成されたガイド溝であり、図５に示すように、取付板１３の嵌合穴１９の中心を中心とする２つの円弧のそれぞれの一端を、伸縮突起７の出没部９の半径と同等の半径を有する半円弧で接続し、他端にベース板１４の側面への開放端を形成した円弧溝であって、取付具１２の固定具２からの取外時に、回転中心穴２１を中心に取付具１２を回動させるときに、伸縮突起７の出没部９の先端の移動を案内する機能を有している（図８参照）。
【００２２】
また、ガイド溝２３の一端に形成された半円弧が、頭部６の位置決め穴６ａと嵌合穴１９の位置決め突起１９ａとの位置合せを行うときの係止部２３ａとして機能する。
【００２３】
天井面に固定された固定具２に、装置に設けられた取付具１２を用いて、装置を固定具２に取付ける場合は、図６に示すように、固定具２の伸縮突起７の出没部９の先端に取付具１２のベース板１４を押付けて出没部９を基板３の方向へ押込み、取付ボス４の頭部６を、取付具１２の取付板１３とベース板１４との間に位置させ、取付板１３に形成された係合部１７をそのガイド部１８に沿って取付ボス４の軸部５の方向に押込み、係合部１７と軸部５とを係合させる。
【００２４】
このとき、取付具１２のベース板１４に形成されたガイド溝２３が、伸縮突起７の方向へ移動し、その出没部９の先端がバネ部材１０の付勢力によって自動的にガイド溝２３に嵌合し、ガイド溝２３の係止部２３ａに出没部９を押付けながら装置を天井と反対側に引戻すと、取付ボス４の頭部６の位置決め穴６ａと嵌合穴１９の位置決め突起１９ａとが嵌合すると共に、頭部６と嵌合穴１９とが嵌合し、図１に示す状態で装置が天井に設置される。
【００２５】
天井に設置された装置を取外す場合は、図７に示すように、装置を天井方向に押上げ、装置に設けられた取付具１２の嵌合穴１９の位置決め突起１９ａと固定具２の取付ボス４の頭部６の位置決め穴６ａとの嵌合、および嵌合穴１９と頭部６との嵌合を解除して、取付ボス４の頭部６をベース板１４に形成された回転中心穴２１に嵌合させる。
【００２６】
そして、図８に示すように、装置を回転中心穴２１に嵌合させた取付ボス４の頭部６を中心に、取付具１２のベース板１４に形成されたガイド溝２３に沿って、その係止部２３ａの反対方向（図８における反時計方向）に取付具１２を回動させ、ベース板１４の側面の開放端を通過させて伸縮突起７の出没部９の先端によるガイド溝２３の底面への押圧を解除し、取付ボス４の頭部６と回転中心穴２１との嵌合を解除した後に、その状態で取付具１２を接続部１５の方向へ押出して取付ボス４の軸部５と係合部１７との係合を解除し、天井面に固定された固定具２から装置を取外す。
【００２７】
なお、本実施例では、取付ボス４の頭部６を回転中心穴２１に嵌合させて伸縮突起７の先端をガイド溝２３に沿って回動させて装置を固定具２から取外すとして説明したが、回転中心穴２１を設けずに、頭部６をベース板１４に押付けた状態で伸縮突起７の先端をガイド溝に沿って回動させ、装置を固定具２から取外すようにしてもよい。
【００２８】
また、本実施例では、伸縮突起７は、胴部８に遊嵌する出没部９をバネ部材１０で付勢して構成するとして説明したが、出没部９を設けずに、伸縮突起７自体をバネ部材１０で付勢して基板３に対して摺動可能に構成し、その先端を伸縮させるようにしてもよい。
【００２９】
以上説明したように、本実施例では、天井面に固定された固定具に、軸部の先端に大径の頭部を形成した取付ボスと、先端が伸縮する伸縮突起とを並設し、この固定具に装置を取付ける取付具の取付板に、取付ボスの軸部を係合させる係合部と、軸部への係合部の係合を案内するガイド部とを設けると共に、そのベース板に伸縮突起の先端を案内するガイド溝を形成したことによって、伸縮突起の先端をベース板に押付けた状態でガイド部に沿って係合部を取付ボスの軸部に押込んで伸縮突起の先端をガイド溝に嵌合させれば、装置を天井に容易に設置することができると共に、取付ボスの頭部をベース板に押付けて伸縮突起の先端をガイド溝に沿って回動させれば、装置を天井から容易に取外すことができ、装置に設けた取付具の、天井面に固定された固定具への取付、取外を、工具を用いずに容易に行うことができ、装置の設置時、交換時または保守時における装置の取付、取外の作業効率を向上させることができる。
【符号の説明】
【００３０】
１    天井掛け機構
２    固定具
３    基板
３ａ  固定穴
４    取付ボス
５    軸部
６    頭部
６ａ  位置決め穴
７    伸縮突起
８    胴部
９    出没部
１０  バネ部材
１２  取付具
１２ａ  本体
１３  取付板
１４  ベース板
１５  接続部
１７  係合部
１８  ガイド部
１９  嵌合穴
１９ａ  位置決め突起
２１  回転中心穴
２３  ガイド溝
２３ａ  係止部
【図１】
2011096775.tif 000003
【図２】
2011096775.tif 000004
【図３】
2011096775.tif 000005
【図４】
2011096775.tif 000006
【図５】
2011096775.tif 000007
【図６】
2011096775.tif 000008
【図７】
2011096775.tif 000009
【図８】
2011096775.tif 000010